(57)【要約】  センサを用いた判断に資する情報を適切に確保しつつ、全体としての情報量を抑制するための技術を提供する。センサ装置２００は、第１の情報と、測定される時間間隔が第１の情報よりも長い第２の情報とを繰り返し測定する測定部２１０と、測定部２１０により測定された第１の情報及び第２の情報を出力する出力部２２０とを含む。出力部２２０は、第１の情報及び第２の情報が各々の基準を満たしている場合に、第２の情報が出力される時間間隔が長くなる。
2019064358.tif 000002
【特許請求の範囲】
【請求項１】
第１の情報と、測定される時間間隔が前記第１の情報よりも長い第２の情報とを繰り返し測定する測定手段と、
前記測定手段により測定された前記第１の情報及び前記第２の情報を出力する出力手段であって、前記第１の情報及び前記第２の情報が各々の基準を満たしている場合に、前記第２の情報が出力される時間間隔が長くなる出力手段と
を備えるセンサ装置。
【請求項２】
前記出力手段は、前記第１の情報及び前記第２の情報が各々の前記基準を満たしている時間の長さに応じて、前記第２の情報が出力される時間間隔が異なる
請求項１に記載のセンサ装置。
【請求項３】
前記出力手段は、前記第１の情報及び前記第２の情報が各々の前記基準を満たしている場合に、前記第１の情報及び前記第２の情報が出力される時間間隔が長くなる
請求項１に記載のセンサ装置。
【請求項４】
前記測定手段は、測定される時間間隔が前記第１の情報よりも長い第３の情報を繰り返し測定し、
前記出力手段は、前記第１の情報、前記第２の情報及び前記第３の情報が各々の基準を満たしている場合に、前記第２の情報及び前記第３の情報の少なくともいずれかが出力される時間間隔が長くなる
請求項１に記載のセンサ装置。
【請求項５】
第１の情報と、測定される時間間隔が前記第１の情報よりも長い第２の情報とを繰り返し測定する測定手段と、
前記測定手段により測定された前記第１の情報及び前記第２の情報を出力する出力手段であって、前記第１の情報及び前記第２の情報の少なくともいずれかが各々の基準を満たさなかった後に、前記第２の情報が出力される時間間隔が短くなる出力手段と
を備えるセンサ装置。
【請求項６】
前記出力手段は、前記第１の情報が前記基準を満たさなかった後に、前記第１の情報及び前記第２の情報が出力される時間間隔が短くなる
請求項５に記載のセンサ装置。
【請求項７】
前記測定手段は、測定される時間間隔が前記第１の情報よりも長い第３の情報を繰り返し測定し、
前記出力手段は、前記第１の情報、前記第２の情報及び前記第３の情報の少なくともいずれかが各々の基準を満たさなかった後に、前記第２の情報及び前記第３の情報の少なくともいずれかが出力される時間間隔が短くなる
請求項５に記載のセンサ装置。
【請求項８】
前記出力手段は、前記第１の情報が前記基準を満たさなかった後には、前記第２の情報が出力される時間間隔が短くなり、前記第２の情報が前記基準を満たさなかった後には、前記第２の情報及び前記第３の情報が出力される時間間隔が短くなる
請求項７に記載のセンサ装置。
【請求項９】
前記出力手段は、前記第１の情報、前記第２の情報又は前記第３の情報が前記基準を満たさない回数が所定の頻度未満である場合には、前記第２の情報が出力される時間間隔が短くなり、当該回数が所定の頻度以上である場合には、前記第２の情報及び前記第３の情報が出力される時間間隔が短くなる
請求項７に記載のセンサ装置。
【請求項１０】
前記測定手段における前記測定される時間間隔を制御する制御手段を備える
請求項１から請求項９までのいずれか１項に記載のセンサ装置。
【請求項１１】
前記出力手段は、前記測定手段により測定された前記第１の情報及び前記第２の情報の少なくとも一部を間引いて出力する
請求項１から請求項３まで又は請求項５から請求項６までのいずれか１項に記載のセンサ装置。
【請求項１２】
第１の情報と、測定される時間間隔が前記第１の情報よりも長い第２の情報とを繰り返し測定し、
前記第１の情報及び前記第２の情報が各々の基準を満たしている場合に、前記第２の情報が出力される時間間隔が長くなるように前記第１の情報及び前記第２の情報を出力する
センシング方法。
【請求項１３】
第１の情報と、測定される時間間隔が前記第１の情報よりも長い第２の情報とを繰り返し測定し、
前記第１の情報及び前記第２の情報の少なくともいずれかが各々の基準を満たさなかった後に、前記第２の情報が出力される時間間隔が短くなるように前記第１の情報及び前記第２の情報を出力する
センシング方法。
【請求項１４】
コンピュータに、
第１の情報と、測定される時間間隔が前記第１の情報よりも長い第２の情報とを繰り返し測定するステップと、
前記測定された前記第１の情報及び前記第２の情報を出力するステップであって、前記第１の情報及び前記第２の情報が各々の基準を満たしている場合に、前記第２の情報が出力される時間間隔が長くなるステップと
を実行させるためのプログラムを格納したコンピュータ読み取り可能なプログラム記録媒体。
【請求項１５】
コンピュータに、
第１の情報と、測定される時間間隔が前記第１の情報よりも長い第２の情報とを繰り返し測定するステップと、
前記測定された前記第１の情報及び前記第２の情報を出力するステップであって、前記第１の情報及び前記第２の情報の少なくともいずれかが各々の基準を満たさなかった後に、前記第２の情報が出力される時間間隔が短くなるステップと
を実行させるためのプログラムを格納したコンピュータ読み取り可能なプログラム記録媒体。
【発明の詳細な説明】
【技術分野】
【０００１】
本開示は、センサ装置等に関する。
【背景技術】
【０００２】
センサを用いて対象物（人間、機械など）の状態を判断する技術がある。この種の判断は、複数のセンサを用いて行われる場合もある（例えば、特許文献1、２参照）。
【先行技術文献】
【特許文献】
【０００３】
【特許文献１】特開２００４−２１６１２５号公報
【特許文献２】特開２０１７−０６３９４６号公報
【発明の概要】
【発明が解決しようとする課題】
【０００４】
センサにより得られる情報は、その必要性に軽重がある場合もある。一般に、不要な情報や、重要性が低い情報に対しては、計測しない、あるいは計測しても記録しない、といった対処が要求されることがある。しかし、特許文献２に記載の技術のように、バッテリの残量やセンサの測定時間に基づいて駆動条件（測定間隔又は測定項目）を制御したのでは、対象物の状態の判断に必要な情報を適切に記録できない可能性がある、という技術的な課題がある。【０００５】
本開示の例示的な目的は、このような課題に鑑み、センサを用いた判断に資する情報を適切に確保しつつ、全体としての情報量を抑制するための技術を提供することにある。
【課題を解決するための手段】
【０００６】
一の態様において、第１の情報と、測定される時間間隔が前記第１の情報よりも長い第２の情報とを繰り返し測定する測定手段と、前記測定手段により測定された前記第１の情報及び前記第２の情報を出力する出力手段であって、前記第１の情報及び前記第２の情報が各々の基準を満たしている場合に、前記第２の情報が出力される時間間隔が長くなる出力手段とを含むセンサ装置が提供される。【０００７】
別の態様において、第１の情報と、測定される時間間隔が前記第１の情報よりも長い第２の情報とを繰り返し測定する測定手段と、前記測定手段により測定された前記第１の情報及び前記第２の情報を出力する出力手段であって、前記第１の情報及び前記第２の情報の少なくともいずれかが各々の基準を満たさなかった後に、前記第２の情報が出力される時間間隔が短くなる出力手段とを含むセンサ装置が提供される。【０００８】
さらに別の態様において、第１の情報と、測定される時間間隔が前記第１の情報よりも長い第２の情報とを繰り返し測定し、前記第１の情報及び前記第２の情報が各々の基準を満たしている場合に、前記第２の情報が出力される時間間隔が長くなるように前記第１の情報及び前記第２の情報を出力するセンシング方法が提供される。【０００９】
さらに別の態様において、第１の情報と、測定される時間間隔が前記第１の情報よりも長い第２の情報とを繰り返し測定し、前記第１の情報及び前記第２の情報の少なくともいずれかが各々の基準を満たさなかった後に、前記第２の情報が出力される時間間隔が短くなるように前記第１の情報及び前記第２の情報を出力するセンシング方法が提供される。【００１０】
さらに別の態様において、コンピュータに、第１の情報と、測定される時間間隔が前記第１の情報よりも長い第２の情報とを繰り返し測定するステップと、前記測定された前記第１の情報及び前記第２の情報を出力するステップであって、前記第１の情報及び前記第２の情報が各々の基準を満たしている場合に、前記第２の情報が出力される時間間隔が長くなるステップとを実行させるためのプログラムを格納したコンピュータ読み取り可能なプログラム記録媒体が提供される。【００１１】
さらに別の態様において、コンピュータに、第１の情報と、測定される時間間隔が前記第１の情報よりも長い第２の情報とを繰り返し測定するステップと、前記測定された前記第１の情報及び前記第２の情報を出力するステップであって、前記第１の情報及び前記第２の情報の少なくともいずれかが各々の基準を満たさなかった後に、前記第２の情報が出力される時間間隔が短くなるステップとを実行させるためのプログラムを格納したコンピュータ読み取り可能なプログラム記録媒体が提供される。
【発明の効果】
【００１２】
本開示によれば、センサを用いた判断に資する情報が適切に確保されつつ、全体としての情報量が抑制される。
【図面の簡単な説明】
【００１３】
【図１】図１は、情報処理システムの構成の一例を示すブロック図である。
【図２】図２は、センサ装置の構成の一例を示すブロック図である。
【図３】図３は、センサ装置の形態の一例を示す。
【図４】図４は、情報処理装置の構成の一例を示すブロック図である。
【図５】図５は、センサ装置の動作の一例を示すフローチャートである。
【図６】図６は、測定レートの推移の第１の例を示すタイミングチャートである。
【図７】図７は、測定レートの推移の第２の例を示すタイミングチャートである。
【図８】図８は、測定レートの推移の第３の例を示すタイミングチャートである。
【図９】図９は、センサ装置の構成の別の例を示すブロック図である。
【図１０】図１０は、センサ装置の動作の一例を示すフローチャートである。
【図１１】図１１は、コンピュータ装置のハードウェア構成の一例を示すブロック図である。
【発明を実施するための形態】
【００１４】
［第１実施形態］
図１は、一実施形態に係る情報処理システム１００の構成を示すブロック図である。情報処理システム１００は、センサ装置１１０と、情報処理装置１２０とを少なくとも含む。センサ装置１１０及び情報処理装置１２０は、例えば、通信ネットワークを介して互いに接続される。
【００１５】
センサ装置１１０は、センシング対象の人物に関する情報を取得するための装置である。本実施形態において、センサ装置１１０は、複数のセンサを含み、センシング対象の人物（以下「被験者」ともいう。）に装着される。センサ装置１１０は、いわゆるウェアラブルデバイスであってもよい。
【００１６】
ここにおいて、人物に関する情報とは、当該人物に由来して計測される情報をいう。具体的には、人物に関する情報は、生理情報を少なくとも含む。本実施形態において、生理情報は、生体を介して計測される生体の生理的状態を表す情報である。生理情報は、例えば、いわゆるバイタルサイン（体温、呼吸数、血圧等）、心臓又は筋肉の電気的活動（いわゆる心電図等）、皮膚電位、血中酸素濃度、対光反射の有無などを含む。生理情報は、生体（又はその特定部位）の移動を表す情報（速度、加速度など）であってもよい。生理情報は、身体情報と言い換えられてもよい。
【００１７】
また、人物に関する情報は、環境情報を含んでもよい。本実施形態において、環境情報は、生体周囲の環境を表し、生体の生理的状態に影響を与え、又は生体の生理的状態に応じて変化し得る情報である。環境情報は、例えば、生体周囲の音、明るさ、温度、湿度などを含む。以下においては、本実施形態の生理情報及び環境情報を総称して「モニタリング情報」ともいう。本実施形態のモニタリング情報は、生体から直接的又は間接的に計測される情報であって、生体の生理的状態に関連する情報であるともいえる。
【００１８】
図２は、センサ装置１１０の構成を示すブロック図である。センサ装置１１０は、測定部１１１と、データ処理部１１２と、制御部１１３と、通信部１１４とを含む。センサ装置１１０は、被験者の操作を受け付けるボタンやスイッチをさらに含んでもよい。なお、図２において、図中の矢印は、データの流れの一例を示している。センサ装置１１０におけるデータの流れは、図中の矢印が示すものに限定されない。
【００１９】
測定部１１１は、モニタリング情報を測定する。測定部１１１は、より詳細には、センサ１１１1、１１１2、…、１１１nを含む。ここにおいて、センサの数（すなわちｎの値）は、２以上であればよい。センサ１１１1〜１１１nは、それぞれ異なるモニタリング情報を測定する複数のセンサである。センサ１１１1〜１１１nは、それぞれ所定の物理量を計測することによってモニタリング情報を測定する。測定部１１１は、モニタリング情報をデータ処理部１１２に供給する。
【００２０】
センサ１１１1〜１１１nは、それぞれ、モニタリング情報を反復的に測定できるように構成されている。センサ１１１1〜１１１nは、例えば、制御部１１３によって決められた時間間隔で、モニタリング情報を周期的に測定する。ただし、センサ１１１1〜１１１nによる測定間隔は、互いに異なってもよく、同じでもよい。センサ１１１1〜１１１nは、モニタリング情報を取得した時刻を取得したモニタリング情報と共に記録してもよい。
【００２１】
データ処理部１１２は、モニタリング情報に基づいて所定の処理を実行する。データ処理部１１２により実行される処理は、測定部１１１から供給されたモニタリング情報が所定の基準を満たしているかを判断する処理を少なくとも含む。データ処理部１１２は、例えば、マイコン（マイクロコントローラ）を含んで構成される。
【００２２】
データ処理部１１２による判断、すなわち、モニタリング情報が所定の基準を満たしているかの判断における基準は、モニタリング情報毎に異なる。換言すれば、データ処理部１１２による判断における基準は、センサ毎に異なるともいえる。データ処理部１１２は、例えば、モニタリング情報を示す値が所定の数値範囲内であるかを判断する。あるいは、データ処理部１１２は、モニタリング情報を示す値の時間変化（すなわち波形）が所定のパターンに相当するかを判断してもよい。
【００２３】
データ処理部１１２は、このような判断の結果を示すデータを、モニタリング情報とともに制御部１１３に供給する。例えば、データ処理部１１２は、判断結果を「１」又は「０」のフラグで表すデータを制御部１１３に供給する。ただし、このデータは、モニタリング情報が所定の基準を満たしているか否かが判断可能であればよく、必ずしもフラグに限定されない。
【００２４】
制御部１１３は、データ処理部１１２による判断結果に応じた処理を実行する。制御部１１３は、データ処理部１１２による判断結果に基づいて、センサ１１１1〜１１１nによる測定間隔を制御する。また、制御部１１３は、データ処理部１１２から供給されたモニタリング情報を通信部１１４に供給する。制御部１１３は、例えば、１又は複数のプロセッサを含んで構成される。あるいは、制御部１１３は、データ処理部１１２と一体に構成されてもよい。
【００２５】
通信部１１４は、制御部１１３から供給されたデータを情報処理装置１２０に送信する。また、通信部１１４は、情報処理装置１２０からデータを受信してもよい。通信部１１４は、例えば、センサ装置１１０と情報処理装置１２０との通信に対応する通信モジュールを含んで構成される。
【００２６】
図３は、センサ装置１１０の形態の一例を示す。センサ装置１１０は、図３に例示されるような腕時計型のウェアラブルデバイスであってもよい。図３の例において、センサ１１１1〜１１１3は、被験者に装着された場合に被験者に接触するように設けられている。
【００２７】
なお、センサ装置１１０は、このような形態に限らず、例えば被験者の肌に貼付されるシート型のデバイスであってもよく、被験者の着衣と一体となったデバイスであってもよい。また、センサ装置１１０は、センサ１１１1〜１１１nが本体と無線接続する構成であってもよい。この場合、センサ１１１1〜１１１nは、被験者の複数の部位（頭部、腕部、胸部など）に別々に装着されてもよい。
【００２８】
情報処理装置１２０は、監視者（例えば、医師等の医療従事者）が被験者の状態をモニタするためのコンピュータ装置である。情報処理装置１２０は、例えば、パーソナルコンピュータである。情報処理装置１２０は、スマートフォン、タブレット端末等のモバイル機器であってもよい。
【００２９】
図４は、情報処理装置１２０の構成を示すブロック図である。情報処理装置１２０は、制御部１２１と、通信部１２２と、出力部１２３とを含む。また、情報処理装置１２０は、マウス、キーボード等の入力部を含んでもよい。
【００３０】
制御部１２１は、情報処理装置１２０の各部の動作を制御する。例えば、制御部１２１は、通信部１２２により受信されたデータに基づいて、出力部１２３による出力を制御する。制御部１２１は、例えば、１又は複数のプロセッサにより構成される。
【００３１】
通信部１２２は、センサ装置１１０から送信されたデータを受信する。また、通信部１２２は、センサ装置１１０にデータを送信してもよい。通信部１２２は、例えば、センサ装置１１０と情報処理装置１２０との通信に対応する通信モジュールを含んで構成される。なお、通信部１２２は、センサ装置１１０と無線で直接通信してもよいが、他の通信機器を介してセンサ装置１１０と通信してもよい。このような場合、通信部１２２は、他の通信機器とは有線で通信してもよい。
【００３２】
出力部１２３は、情報を出力する。ここでいう出力は、表示媒体（紙、ディスプレイ等）への表示のほか、記録媒体への電磁的な記録や音声出力を含む。したがって、出力部１２３は、モニタリング情報を表示するディスプレイ又はプリンタを含んでもよく、モニタリング情報をハードディスク等の記憶媒体に書き込む書込装置を含んでもよい。また、出力部１２３は、スピーカやブザーを含んでもよい。
【００３３】
なお、情報処理システム１００において、センサ装置１１０及び情報処理装置１２０の数は、特に限定されない。例えば、情報処理システム１００は、センサ装置１１０及び情報処理装置１２０を同数（例えば１つずつ）含んでもよいし、１つ又は少数の情報処理装置１２０に対して多数のセンサ装置１１０が接続される構成であってもよい。
【００３４】
情報処理システム１００の構成は、以上のとおりである。このような構成のもと、センサ装置１１０は、自装置を装着した被験者のモニタリング情報を測定し、測定されたモニタリング情報を情報処理装置１２０に送信する。また、情報処理装置１２０は、モニタリング情報を出力する。
【００３５】
監視者は、情報処理装置１２０により出力されたモニタリング情報を参照し、被験者の生理的な異常を判断する。そのため、情報処理システム１００は、生理的な異常を判断するための情報を監視者に提供する。つまり、情報処理システム１００により提供されるモニタリング情報は、被験者の異常そのものを示している必要はなく、異常の兆候、換言すれば異常の可能性を示していれば足りるともいえる。なお、ここでいう監視者は、被験者自身であってもよい。
【００３６】
図５は、センサ装置１１０の動作を示すフローチャートである。センサ装置１１０は、センサ１１１1〜１１１nによる測定を開始する際に以下の処理を実行する。以下においては、図５に例示された処理のことを、「タイミング制御」ともいう。
【００３７】
ステップＳ１１において、制御部１１３は、センサ１１１1〜１１１nに対して既定の測定レートで測定を実行させる。ここでいう測定レートは、測定部１１１がモニタリング情報を測定する時間間隔、あるいはデータ処理部１１２が測定部１１１からモニタリング情報を取得する時間間隔を意味する。測定部１１１は、制御部１１３により設定された測定レートでモニタリング情報を測定する。なお、ステップＳ１１において設定される測定レート、すなわち測定レートの初期値は、センサ１１１1〜１１１n毎に異なり得る。
【００３８】
ステップS１２において、データ処理部１１２は、測定部１１１から供給されたモニタリング情報の全てが所定の基準を満たしているかを判断する。例えば、データ処理部１１２は、モニタリング情報のそれぞれを示すデータが各々に設定された数値範囲内であるか否かを判断する。ここでいう数値範囲は、許容範囲と言い換えられる。
【００３９】
データ処理部１１２は、モニタリング情報の全てが所定の基準を満たしていると判断された時刻を制御部１１３に通知する。また、データ処理部１１２は、ステップS１２の判断結果、すなわちモニタリング情報の全てが所定の基準を満たしているか否かを示すデータを制御部１１３に供給する。
【００４０】
制御部１１３は、測定部１１１から供給されたモニタリング情報の全てが所定の基準を満たしている場合（Ｓ１２：ＹＥＳ）、ステップＳ１３を実行する。一方、測定部１１１から供給されたモニタリング情報の少なくともいずれかが所定の基準を満たしていない場合（Ｓ１２：ＮＯ）、制御部１１３は、ステップＳ１７を実行する。
【００４１】
ステップＳ１３において、制御部１１３は、モニタリング情報の全てが所定の基準を満たしている期間が所定の期間（以下「第１の期間」ともいう。）以上であるかを判断する。第１の期間は、特に限定されないが、例えば「３分」などである。制御部１１３は、例えば、モニタリング情報が取得された時刻を用いて、ステップＳ１３が実行された時刻において、モニタリング情報の全てが所定の基準を満たしている期間が所定の期間以上であるかを判断してもよい。制御部１１３は、測定レートからモニタリング情報の全てが所定の基準を満たしている期間が所定の期間以上であるかを判断してもよい。制御部１１３は、モニタリング情報の全てが所定の基準を満たしている期間が第１の期間以上である場合（Ｓ１３：ＹＥＳ）、ステップＳ１４を実行する。
【００４２】
一方、モニタリング情報の全てが所定の基準を満たしている期間が第１の期間未満である場合（Ｓ１３：ＮＯ）、データ処理部１１２は、ステップＳ１９を実行する。すなわち、この場合、制御部１１３は、測定レートの変更を実行しない。
【００４３】
ステップＳ１４において、制御部１１３は、モニタリング情報の全てが所定の基準を満たしている期間が所定の他の期間（以下「第２の期間」ともいう。）以上であるかを判断する。第２の期間は、ステップＳ１３の第１の期間よりも長く設定される。第２の期間は、例えば、「５分」などである。
【００４４】
制御部１１３は、モニタリング情報の全てが所定の基準を満たしている期間が第２の期間以上である場合（Ｓ１４：ＹＥＳ）、ステップＳ１６を実行する。一方、モニタリング情報の全てが所定の基準を満たしている期間が第２の期間未満（第１の期間以上第２の期間未満）である場合（Ｓ１４：ＮＯ）、制御部１１３は、ステップＳ１５を実行する。
【００４５】
ステップＳ１５及びＳ１６において、制御部１１３は、センサ１１１1〜１１１nの少なくともいずれかの測定レートを変更する。ステップＳ１５及びＳ１６は、測定レートを変更する処理である点において共通している。一方、ステップＳ１５及びＳ１６は、変更後の測定レートに相違がある。すなわち、センサ１１１1〜１１１nの測定レートは、ステップＳ１５の実行後とステップＳ１６の実行後とで比較すると、少なくともいずれかが同一でない。
【００４６】
より詳細には、制御部１１３は、ステップＳ１５において、センサ１１１1〜１１１nの少なくともいずれかの測定レートを、モニタリング情報が測定される時間間隔が長くなるように変更する。この場合、第１の期間の完了から第２の期間になるまで、測定レートは第１の期間の場合よりも長い一定の時間間隔に設定される。また、制御部１１３は、ステップＳ１６において、ステップＳ１５において測定レートが変更されたセンサ１１１1〜１１１nの少なくともいずれかの測定レートを、モニタリング情報が測定される時間間隔がさらに長くなるように変更する。
【００４７】
ステップＳ１３〜Ｓ１６の処理は、モニタリング情報の全てが所定の基準を満たしている場合の処理である。これに対し、ステップＳ１７〜Ｓ１８の処理は、モニタリング情報の少なくともいずれかが所定の基準を満たしていない場合の処理である。ステップＳ１７〜Ｓ１８の処理は、ステップＳ１３〜Ｓ１６の処理によって変更された測定レートをリセットする（すなわち初期値に戻す）処理であるといえる。
【００４８】
ステップＳ１７において、制御部１１３は、測定レートのリセットの要否を判断する。具体的には、制御部１１３は、ステップＳ１８において測定レートがリセットされるセンサに関し、測定レートが初期値であるか否かを判断する。制御部１１３は、測定レートが初期値のままである場合、すなわち変更されていない場合、測定レートのリセットが不要であると判断する。この場合（Ｓ１７：ＮＯ）、制御部１１３は、ステップＳ１８をスキップする。
【００４９】
一方、測定レートが初期値から変更されている場合（Ｓ１７：ＹＥＳ）、制御部１１３は、ステップＳ１８を実行する。ステップＳ１８において、制御部１１３は、ステップＳ１３〜Ｓ１６の処理によって変更された測定レートの少なくともいずれかをリセットする。制御部１１３は、ステップＳ１３〜Ｓ１６の処理によって変更された測定レートの全てを初期値に戻してもよいし、あらかじめ決められたモニタリング情報の測定レートのみを初期値に戻してもよい。
【００５０】
ステップＳ１９において、制御部１１３は、測定部１１０によるモニタリング情報の測定を終了するか判断する。例えば、制御部１１３は、モニタリング情報が測定された期間が所定の閾値以上になった場合に、モニタリング情報の測定を終了する。また、制御部１１３は、所定の時刻になった場合にモニタリング情報の測定を終了してもよい。あるいは、制御部１１３は、情報処理装置１２０からの指示や被験者の操作に応じてモニタリング情報の測定を終了してもよい。
【００５１】
図６〜８は、測定レートの推移を例示するタイミングチャートである。図６のタイミングチャートは、モニタリング情報に異常がない場合の測定レートの変化を示している。図７、図８のタイミングチャートは、モニタリング情報に何らかの異常が生じた場合の測定レートの変化を示している。これらのタイミングチャートは、モニタリング情報を取得するタイミングを、２つのレベルのいずれかを示す信号によって示している。モニタリング情報は、この信号がハイレベル（すなわちオン）のタイミングにおいて取得される。
【００５２】
なお、ここでいうモニタリング情報の異常は、当該モニタリング情報が所定の基準を満たしていない状態を意味する。したがって、モニタリング情報に異常があるといっても、そのことが直ちに被験者に生理的な異常があることを意味しない。換言すれば、モニタリング情報の異常は、被験者に生理的な異常がある可能性を示唆しているにすぎない。
【００５３】
また、この例において、モニタリング情報は、「第１の情報」、「第２の情報」及び「その他の情報」に分類される。ここにおいて、第１の情報は、被験者の生理的な異常の判断に与える影響が最も大きいモニタリング情報である。第２の情報は、被験者の生理的な異常の判断に与える影響が第１の情報に次いで大きいモニタリング情報である。その他の情報は、第１の情報及び第２の情報に比べ、被験者の生理的な異常の判断に与える影響が小さいものの、異常の判断に資する１又は複数のモニタリング情報である。ただし、その他の情報は、本実施形態において必須ではなく、モニタリング情報に含まれなくてもよい。
【００５４】
本実施形態において、第１の情報は、他のモニタリング情報よりも短い時間間隔で測定される。第２の情報は、第１の情報より長く、その他の情報より短い時間間隔で測定される。その他の情報は、第１の情報及び第２の情報より長い時間間隔で測定される。したがって、これらの情報が単位時間当たりに測定される頻度は、第１の情報が最も高く、その他の情報が最も低い。
【００５５】
なお、ここでは、第１の情報の測定レートの初期値をｒ1、第２の情報の測定レートの初期値をｒ2、その他の情報の測定レートの初期値をｒ3とする。ｒ1、ｒ2及びｒ3は、モニタリング情報の単位時間（例えば１分）当たりの取得回数を表し、ここではｒ1＞ｒ2＞ｒ3を満たす。
【００５６】
図６において、時刻ｔ0から時刻ｔ1までの期間は、第１の期間に相当する。また、時刻ｔ0から時刻ｔ2までの期間は、第２の期間に相当する。図６においては、第１の期間に全てのモニタリング情報に異常がない（すなわち所定の基準を満たしている）。そのため、制御部１１３は、第２の情報及びその他の情報の時刻ｔ1以降における測定レートを変更する。この測定レートの変更は、図５のフローチャートにおいて、ステップＳ１２、Ｓ１３で「ＹＥＳ」、ステップＳ１４で「ＮＯ」と判断され、ステップＳ１５が実行されることによる。
【００５７】
また、図６においては、いずれのモニタリング情報も、時刻ｔ2に至るまで異常がない。そのため、制御部１１３は、第２の情報及びその他の情報の時刻ｔ2以降における測定レートをさらに変更する。この測定レートの変更は、図５のフローチャートにおいて、ステップＳ１２、Ｓ１３、Ｓ１４で「ＹＥＳ」と判断され、ステップＳ１６が実行されることによる。
【００５８】
第２の情報の測定レートは、時刻ｔ1から時刻ｔ2において「ｒ2／２」、すなわち初期値の１／２であり、時刻ｔ2以降において「ｒ2／３」、すなわち初期値の１／３である。また、その他の情報の測定レートは、時刻ｔ1から時刻ｔ2において「ｒ3／２」、すなわち初期値の１／２であり、時刻ｔ2以降において「ｒ3／３」、すなわち初期値の１／３である。
【００５９】
なお、第１の情報は、他のモニタリング情報に比べ、被験者の生理的な異常の判断に大きな影響を与える。すなわち、第１の情報は、監視者に最もよくモニタされるべきモニタリング情報であるともいえる。それゆえ、本実施形態において、第１の情報の測定レートは不変である。換言すれば、第１の情報は、測定レートが減少しないように設定されている。
【００６０】
図７において、時刻ｔ0から時刻ｔ1までの期間は、図６の例と同様に第１の期間に相当する。また、時刻ｔ1における測定レートの変更動作は、図６の例と同様である。しかし、図７の例は、時刻ｔ2に至る前に第１の情報に異常が生じている点において図６の例と相違している。この場合、制御部１１３は、第１の情報が所定の基準を満たさなかった後、すなわち時刻ｔ3からの第２の情報の測定レートを「ｒ2／２」から「ｒ2」に変更（すなわちリセット）する。ただし、制御部１１３は、その他の情報の測定レートはリセットしない。
【００６１】
また、図７において、時刻ｔ3から時刻ｔ4までの期間は、第１の期間に相当する長さであり、時刻ｔ0から時刻ｔ1までの期間と等しい。この期間、モニタリング情報には、いずれも異常がなかったものとする。この場合、制御部１１３は、時刻ｔ4において、第２の情報の測定レートを「ｒ2」から「ｒ2／２」に再び変更する。
【００６２】
図８は、モニタリング情報に短期間に複数の異常が生じた場合の例である。この例において、時刻ｔ0から時刻ｔ3までの動作は、図７の例と同様であるとする。しかし、時刻ｔ3において第２の情報の測定レートがリセットされた後、第１の期間が経過する前に第２の情報に異常が生じている点が図７の例と異なっている。
【００６３】
この場合、制御部１１３は、第２の情報が所定の基準を満たさなかった後、すなわち時刻ｔ5からのその他の情報の測定レートを「ｒ3／２」から「ｒ3」に変更（すなわちリセット）する。すなわち、この例においては、いずれのモニタリング情報の測定レートも、時刻ｔ5以降は初期値になっている。これにより、図７の例の場合に比べ、被験者の異常をより早期に、又はより確実に判断することが可能になる。
【００６４】
本実施形態の情報処理システム１００が適用可能な被験者の異常とモニタされるモニタリング情報の組み合わせとしては、以下のようなものが考えられる。例えば、被験者の特定部位（例えば腕部）の加速度、心拍数、音（独言）、体温、皮膚電位、血圧などをモニタすることで、脳梗塞患者の不穏状態又は問題行動の監視に適用可能である。この場合、第１の情報として加速度、第２の情報として心拍数が用いられてもよい。
【００６５】
また、被験者の心拍数、血中酸素濃度、血圧、体温、呼吸数などをモニタすることで、登山、ランニング等のスポーツ時における被験者の監視に適用可能である。この場合、第１の情報として心拍数、第２の情報として血中酸素濃度が用いられてもよい。
【００６６】
また、被験者の特定部位の加速度、心拍数、呼吸数、体温、血圧、音などをモニタすることで、独居高齢者の安否確認又は見守り支援に適用可能である。例えば、第１の情報として加速度、第２の情報として呼吸数を用いることで、浴室等での転倒を検知することができる。あるいは、第１の情報として心拍数、第２の情報として呼吸数を用いることで、心臓病の症状を検知することができる。
【００６７】
以上のとおり、本実施形態の情報処理システム１００は、モニタリング情報の測定結果に応じたタイミング制御を実行する構成を有する。この構成は、測定されるモニタリング情報の全てに異常がない場合にはモニタリング情報の測定間隔を広げ、測定されるモニタリング情報の少なくともいずれかに異常がある場合にモニタリング情報の測定間隔を狭めることを可能にする。
【００６８】
一般に、モニタリング情報が安定的に所定の基準を満たしている場合には、被験者に異常が生じている可能性が低いといえる。このような場合、情報処理システム１００は、モニタリング情報の測定間隔を広げることができる。一方、所定の基準を満たさないモニタリング情報が検出された場合には、より詳細な、又はより細心の判断が監視者に要求される。このような場合、情報処理システム１００は、モニタリング情報の測定間隔を狭めることができる。
【００６９】
したがって、情報処理システム１００は、モニタリング情報の精査が必要な場合にはモニタリング情報の測定間隔を狭め、そうでない場合にはモニタリング情報の測定間隔を広げることが可能である。ゆえに、情報処理システム１００は、センサを用いた判断に資する情報を適切に確保しつつ、全体としての情報量を抑制することが可能である。換言すれば、情報処理システム１００は、センサを用いた判断に資する情報を適切に確保する効果と全体としての情報量を抑制する効果とを両立することを可能にする。
【００７０】
また、モニタリング情報の測定間隔が可変であると、あるモニタリング情報の測定間隔が長いことがモニタリング情報に一定期間異常が生じていないことを意味する。あるいは、あるモニタリング情報の測定間隔が一定期間の経過後であっても短いことは、モニタリング情報に何らかの異常が発生したことを意味する。このように、本実施形態の情報処理システム１００によれば、監視者は、ある時点でのモニタリング情報の測定間隔によって直近のモニタリング情報の異常の有無を容易に把握できるという付随的な効果を得ることが可能である。
【００７１】
［第２実施形態］
図９は、別の実施形態に係るセンサ装置２００の構成を示すブロック図である。センサ装置２００は、測定部２１０と、出力部２２０とを少なくとも含む。第１実施形態のセンサ装置１１０は、センサ装置２００の一例に相当する。
【００７２】
測定部２１０は、複数の情報を繰り返し測定する。例えば、測定部２１０は、複数の情報を決められた時間間隔で測定する。測定部２１０により各々の情報が測定される時間間隔は、特定の数値範囲に限定されなくてよい。
【００７３】
本実施形態において、測定部２１０は、２以上の情報を測定する。これらの情報は、測定される時間間隔が異なる。以下においては、測定部２１０により測定される複数の情報のうち、測定される時間間隔が最も短いものを「第１の情報」ともいい、測定される時間間隔が第１の情報よりも長いものの一つを「第２の情報」ともいう。
【００７４】
本実施形態において測定部２１０により測定される情報は、第１実施形態のモニタリング情報を含み得る。しかし、本実施形態において測定部２１０により測定される情報は、モニタリング情報に限定されない。また、本実施形態におけるセンシング対象は、人物である必要はなく、他の生物や機械であってもよい。また、本実施形態におけるセンシング対象は、土壌、液体、気体などであってもよい。
【００７５】
測定部２１０は、１以上のセンサを含んでもよく、１以上のセンサから情報を取得するインタフェースを含んでもよい。換言すれば、測定部２１０は、必ずしもセンサそのものを含まなくてもよい。したがって、測定部２１０は、第１実施形態の測定部１１１と同様の構成であってもよいが、このような構成のみに限定されない。
【００７６】
出力部２２０は、測定部２１０により測定された複数の情報を出力する。出力部２２０により複数の情報が出力される時間間隔は、各々が所定の基準を満たしているかによって、あるいは当該基準を満たしている時間の長さに応じて異なり得る。第１実施形態のデータ処理部１１２及び制御部１１３は、出力部２２０の一例に相当する。
【００７７】
第１の態様において、出力部２２０は、第１の情報及び第２の情報が各々の基準を満たしている場合に、第２の情報が出力される時間間隔が長くなる。すなわち、第２の情報が出力される時間間隔は、第１の情報及び第２の情報が各々の基準を満たしている場合には、そうでない場合と比較して長くなる。例えば、出力部２２０は、第１の情報及び第２の情報が所定の期間に渡って各々の基準を満たしている場合に、第２の情報が出力される時間間隔を長くする。
【００７８】
第２の態様において、出力部２２０は、第１の情報及び第２の情報の少なくともいずれかが各々の基準を満たさなかった後に、第２の情報が出力される時間間隔が短くなる。すなわち、すなわち、第２の情報が出力される時間間隔は、第１の情報及び第２の情報が各々の基準を満たさなくなった後に、それ以前と比較して短くなる。例えば、出力部２２０は、第１の情報及び第２の情報が所定の期間に渡って各々の基準を満たした後、その少なくともいずれかが基準を満たさなくなった場合に、第２の情報が出力される時間間隔を短くする。
【００７９】
出力部２２０は、第１の態様と第２の態様の少なくともいずれかで動作する。また、出力部２２０は、第１の態様と第２の態様とを組み合わせて動作してもよい。例えば、第１実施形態のデータ処理部１１２及び制御部１１３は、第１の態様と第２の態様の組み合わせに相当する。
【００８０】
いくつかの場合において、出力部２２０は、第１実施形態の制御部１１３のように、測定部２１０による情報の測定間隔を制御することによって情報が出力される時間間隔を制御することが可能である。ただし、出力部２２０は、測定部２１０による情報の測定間隔を変更することなく、情報が出力される時間間隔を制御することも可能である。
【００８１】
例えば、出力部２２０は、測定部２１０により測定された情報の少なくとも一部を間引いて出力してもよい。より詳細には、出力部２２０は、第２の情報が単位時間当たりにｉ回測定された場合に、このｉ回分の第２の情報のうちのｊ回分を出力し、（ｉ−ｊ）回分を破棄する。ここにおいて、ｊは、ｉ＞ｊを満たす。
【００８２】
出力部２２０は、第２の情報に加え、又は第２の情報に代えて、他の情報が出力される時間間隔を制御してもよい。例えば、出力部２２０は、第２の情報に加え、第１の情報が出力される時間間隔を制御してもよい。あるいは、出力部２２０は、第２の情報に代えて、第３の情報が出力される時間間隔を制御してもよい。ここにおいて、第３の情報は、測定部２１０により測定される複数の情報のうち、測定される時間間隔が第１の情報よりも長く、かつ第２の情報でないものである。例えば、第１実施形態の「その他の情報」は、第３の情報の一例に相当する。
【００８３】
例えば、出力部２２０は、第１の情報、第２の情報及び第３の情報が各々の基準を満たしている場合に、第２の情報及び第３の情報の少なくともいずれかが出力される時間間隔を長くしてもよい。あるいは、出力部２２０は、第１の情報、第２の情報及び第３の情報が各々の基準を満たしている場合に、第１の情報、第２の情報及び第３の情報が出力される時間間隔を長くしてもよい。
【００８４】
また、出力部２２０は、第１の情報が基準を満たさなかった後には、第２の情報が出力される時間間隔が短くなり、第２の情報が基準を満たさなかった後には、第２の情報及び第３の情報が出力される時間間隔が短くなってもよい（例えば、図８参照）。
【００８５】
あるいは、出力部２２０は、第１の情報、第２の情報又は第３の情報が基準を満たさない回数が所定の頻度未満である場合には、第２の情報が出力される時間間隔が短くなり、当該回数が所定の頻度以上である場合には、第２の情報及び第３の情報が出力される時間間隔が短くなってもよい。ここでいう頻度は、ある決められた時間内における第１の情報、第２の情報又は第３の情報の異常の回数であるともいえる。図８の例は、ここにおける所定の頻度を「２（回）」とした場合の例であるともいえる。
【００８６】
図１０は、センサ装置２００の動作を示すフローチャートである。ステップＳ２１において、測定部２１０は、複数の情報を決められた時間間隔で測定する。ステップＳ２２において、出力部２２０は、ステップＳ２１において測定された複数の情報を出力する。
【００８７】
ステップＳ２２において、出力部２２０は、ステップＳ２１において測定された複数の情報が各々に関する基準を満たしている場合に、当該複数の情報のいずれか（例えば、第２の情報）が出力される時間間隔が長くなってもよい。あるいは、出力部２２０は、ステップＳ２１において測定された複数の情報の少なくともいずれかが各々に関する基準を満たさなかった後に、当該複数の情報のいずれか（例えば、第２の情報）が出力される時間間隔が短くなってもよい。
【００８８】
以上のとおり、本実施形態のセンサ装置２００は、複数の情報の測定結果に応じた制御を実行する構成を有する。この構成は、例えば、第１の情報と第２の情報の双方に異常がない場合には第２の情報が出力される時間間隔を広げ、第１の情報と第２の情報の少なくともいずれかに異常がある場合には第２の情報が出力される時間間隔を狭めることを可能にする。したがって、センサ装置２００は、第２実施形態の情報処理システム１００と同様に、センサを用いた判断に資する情報を適切に確保しつつ、全体としての情報量を抑制することが可能である。
【００８９】
［変形例］
上述した第１〜第２実施形態は、例えば、以下のような変形を適用することができる。これらの変形例は、必要に応じて適宜組み合わせることも可能である。また、特定の実施形態を用いて記載された変形例は、矛盾を生じない範囲において、他の実施形態にも適用され得る。
【００９０】
（１）制御部１１３は、モニタリング情報に異常がある場合に、モニタリング情報の異常を示すデータを出力してもよい。この場合、センサ装置１１０は、モニタリング情報の異常を示すデータを情報処理装置１２０に送信する。情報処理装置１２０は、このデータを用いて、スピーカ等による警告を出力してもよい。
【００９１】
（２）制御部１１３は、モニタリング情報そのものに代えて、モニタリング情報を表示するための表示データを出力してもよい。この場合、センサ装置１１０は、表示データを情報処理装置１２０に送信する。情報処理装置１２０は、この表示データを用いて、モニタリング情報を表示してもよい。
【００９２】
（３）センサ装置１１０は、被験者への装着を必ずしも要しない。センサ装置１１０は、例えば、モニタリング情報を遠隔から測定する、といったように、モニタリング情報を被験者と接触せずに測定する構成であってもよい。
【００９３】
（４）本開示に係る装置（センサ装置１１０、情報処理システム１２０及びセンサ装置２００）の具体的なハードウェア構成は、さまざまなバリエーションが含まれ、特定の構成に限定されない。例えば、本開示に係る装置は、ソフトウェアを用いて実現されてもよく、複数のハードウェアを用いて各種処理を分担するように構成されてもよい。
【００９４】
図１１は、本開示に係る装置を実現するコンピュータ装置３００のハードウェア構成の一例を示すブロック図である。コンピュータ装置３００は、ＣＰＵ（Central Processing Unit）３０１と、ＲＯＭ（Read Only Memory）３０２と、ＲＡＭ（Random Access Memory）３０３と、記憶装置３０４と、ドライブ装置３０５と、通信インタフェース３０６と、入出力インタフェース３０７とを含んで構成される。
【００９５】
ＣＰＵ３０１は、ＲＡＭ３０３を用いてプログラム３０８を実行する。通信インタフェース３０６は、ネットワーク３１０を介して外部装置とデータをやり取りする。入出力インタフェース３０７は、周辺機器（カメラ、マイクロホン、その他のセンサなど）とデータをやり取りする。通信インタフェース３０６及び入出力インタフェース３０７は、データを取得又は出力するための構成要素として機能することができる。
【００９６】
なお、プログラム３０８は、ＲＯＭ３０２に記憶されていてもよい。また、プログラム３０８は、メモリカード等の記録媒体３０９に記録され、ドライブ装置３０５によって読み出されてもよいし、外部装置からネットワーク３１０を介して送信されてもよい。
【００９７】
本開示に係る装置は、図１１に示す構成（又はその一部）によって実現され得る。例えば、センサ装置２００の場合、測定部１１０及び出力部１２０は、ＣＰＵ３０１、ＲＯＭ３０２及びＲＡＭ３０３に対応する。
【００９８】
なお、本開示に係る装置の構成要素は、単一の回路（プロセッサ等）によって構成されてもよいし、複数の回路の組み合わせによって構成されてもよい。ここでいう回路（circuitry）は、専用又は汎用のいずれであってもよい。例えば、本開示に係る装置は、一部が専用のプロセッサによって実現され、他の部分が汎用のプロセッサによって実現されてもよい。例えば、データ処理部１１２と制御部１１３とは、単一のプロセッサによって構成されても、別異のプロセッサによって構成されてもよい。
【００９９】
［付記］
本開示の一部又は全部は、以下の付記のようにも記載され得る。ただし、本発明は、必ずしもこの付記の態様に限定されない。
（付記１）
第１の情報と、測定される時間間隔が前記第１の情報よりも長い第２の情報とを繰り返し測定する測定手段と、
前記測定手段により測定された前記第１の情報及び前記第２の情報を出力する出力手段であって、前記第１の情報及び前記第２の情報が各々の基準を満たしている場合に、前記第２の情報が出力される時間間隔が長くなる出力手段と
を含むセンサ装置。
（付記２）
前記出力手段は、前記第１の情報及び前記第２の情報が各々の前記基準を満たしている時間の長さに応じて、前記第２の情報が出力される時間間隔が異なる
付記１に記載のセンサ装置。
（付記３）
前記出力手段は、前記第１の情報及び前記第２の情報が各々の前記基準を満たしている場合に、前記第１の情報及び前記第２の情報が出力される時間間隔が長くなる
付記１に記載のセンサ装置。
（付記４）
前記測定手段は、測定される時間間隔が前記第１の情報よりも長い第３の情報を繰り返し測定し、
前記出力手段は、前記第１の情報、前記第２の情報及び前記第３の情報が各々の基準を満たしている場合に、前記第２の情報及び前記第３の情報の少なくともいずれかが出力される時間間隔が長くなる
付記１に記載のセンサ装置。
（付記５）
第１の情報と、測定される時間間隔が前記第１の情報よりも長い第２の情報とを繰り返し測定する測定手段と、
前記測定手段により測定された前記第１の情報及び前記第２の情報を出力する出力手段であって、前記第１の情報及び前記第２の情報の少なくともいずれかが各々の基準を満たさなかった後に、前記第２の情報が出力される時間間隔が短くなる出力手段と
を含むセンサ装置。
（付記６）
前記出力手段は、前記第１の情報が前記基準を満たさなかった後に、前記第１の情報及び前記第２の情報が出力される時間間隔が短くなる
付記５に記載のセンサ装置。
（付記７）
前記測定手段は、測定される時間間隔が前記第１の情報よりも長い第３の情報を繰り返し測定し、
前記出力手段は、前記第１の情報、前記第２の情報及び前記第３の情報の少なくともいずれかが各々の基準を満たさなかった後に、前記第２の情報及び前記第３の情報の少なくともいずれかが出力される時間間隔が短くなる
付記５に記載のセンサ装置。
（付記８）
前記出力手段は、前記第１の情報が前記基準を満たさなかった後には、前記第２の情報が出力される時間間隔が短くなり、前記第２の情報が前記基準を満たさなかった後には、前記第２の情報及び前記第３の情報が出力される時間間隔が短くなる
付記７に記載のセンサ装置。
（付記９）
前記出力手段は、前記第１の情報、前記第２の情報又は前記第３の情報が前記基準を満たさない回数が所定の頻度未満である場合には、前記第２の情報が出力される時間間隔が短くなり、当該回数が所定の頻度以上である場合には、前記第２の情報及び前記第３の情報が出力される時間間隔が短くなる
付記７に記載のセンサ装置。
（付記１０）
前記測定手段における前記測定される時間間隔を制御する制御手段を備える
付記１から付記９までのいずれかに記載のセンサ装置。
（付記１１）
前記出力手段は、前記測定手段により測定された前記第１の情報及び前記第２の情報の少なくとも一部を間引いて出力する
付記１から付記３まで又は付記５から付記６までのいずれか１項に記載のセンサ装置。
（付記１２）
第１の情報と、測定される時間間隔が前記第１の情報よりも長い第２の情報とを繰り返し測定し、
前記第１の情報及び前記第２の情報が各々の基準を満たしている場合に、前記第２の情報が出力される時間間隔が長くなるように前記第１の情報及び前記第２の情報を出力する
センシング方法。
（付記１３）
第１の情報と、測定される時間間隔が前記第１の情報よりも長い第２の情報とを繰り返し測定し、
前記第１の情報及び前記第２の情報の少なくともいずれかが各々の基準を満たさなかった後に、前記第２の情報が出力される時間間隔が短くなるように前記第１の情報及び前記第２の情報を出力する
センシング方法。
（付記１４）
コンピュータに、
第１の情報と、測定される時間間隔が前記第１の情報よりも長い第２の情報とを繰り返し測定するステップと、
前記測定された前記第１の情報及び前記第２の情報を出力するステップであって、前記第１の情報及び前記第２の情報が各々の基準を満たしている場合に、前記第２の情報が出力される時間間隔が長くなるステップと
を実行させるためのプログラムを格納したコンピュータ読み取り可能なプログラム記録媒体。
（付記１５）
コンピュータに、
第１の情報と、測定される時間間隔が前記第１の情報よりも長い第２の情報とを繰り返し測定するステップと、
前記測定された前記第１の情報及び前記第２の情報を出力するステップであって、前記第１の情報及び前記第２の情報の少なくともいずれかが各々の基準を満たさなかった後に、前記第２の情報が出力される時間間隔が短くなるステップと
を実行させるためのプログラムを格納したコンピュータ読み取り可能なプログラム記録媒体。
【０１００】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【符号の説明】
【０１０１】
１００    情報処理システム
１１０    センサ装置
１１１    測定部
１１２    データ処理部
１１３    制御部
１１４    通信部
１２０    情報処理装置
１２１    制御部
１２２    通信部
１２３    出力部
２００    センサ装置
２１０    測定部
２２０    出力部
３００    コンピュータ装置
【図１】
2019064358.tif 000003
【図２】
2019064358.tif 000004
【図３】
2019064358.tif 000005
【図４】
2019064358.tif 000006
【図５】
2019064358.tif 000007
【図６】
2019064358.tif 000008
【図７】
2019064358.tif 000009
【図８】
2019064358.tif 000010
【図９】
2019064358.tif 000011
【図１０】
2019064358.tif 000012
【図１１】
2019064358.tif 000013
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
第１の情報と、測定される時間間隔が前記第１の情報よりも長い第２の情報とを繰り返し測定する測定手段と、
前記測定手段により測定された前記第１の情報及び前記第２の情報を出力する出力手段であって、前記第１の情報及び前記第２の情報が各々の基準を満たしている場合に、前記第２の情報が出力される時間間隔が長くなる出力手段と
を備えるセンサ装置。
【請求項２】
前記出力手段は、前記第１の情報及び前記第２の情報が各々の前記基準を満たしている時間の長さに応じて、前記第２の情報が出力される時間間隔が異なる
請求項１に記載のセンサ装置。
【請求項３】
前記出力手段は、前記第１の情報及び前記第２の情報が各々の前記基準を満たしている場合に、前記第１の情報及び前記第２の情報が出力される時間間隔が長くなる
請求項１に記載のセンサ装置。
【請求項４】
前記測定手段は、測定される時間間隔が前記第１の情報よりも長い第３の情報を繰り返し測定し、
前記出力手段は、前記第１の情報、前記第２の情報及び前記第３の情報が各々の基準を満たしている場合に、前記第２の情報及び前記第３の情報の少なくともいずれかが出力される時間間隔が長くなる
請求項１に記載のセンサ装置。
【請求項５】
第１の情報と、測定される時間間隔が前記第１の情報よりも長い第２の情報とを繰り返し測定する測定手段と、
前記測定手段により測定された前記第１の情報及び前記第２の情報を出力する出力手段であって、前記第１の情報及び前記第２の情報の少なくともいずれかが各々の基準を満たさなかった後に、前記第２の情報が出力される時間間隔が短くなる出力手段と
を備えるセンサ装置。
【請求項６】
前記出力手段は、前記第１の情報が前記基準を満たさなかった後に、前記第１の情報及び前記第２の情報が出力される時間間隔が短くなる
請求項５に記載のセンサ装置。
【請求項７】
第１の情報と、測定される時間間隔が前記第１の情報よりも長い第２の情報とを繰り返し測定し、
前記第１の情報及び前記第２の情報が各々の基準を満たしている場合に、前記第２の情報が出力される時間間隔が長くなるように前記第１の情報及び前記第２の情報を出力する
センシング方法。
【請求項８】
第１の情報と、測定される時間間隔が前記第１の情報よりも長い第２の情報とを繰り返し測定し、
前記第１の情報及び前記第２の情報の少なくともいずれかが各々の基準を満たさなかった後に、前記第２の情報が出力される時間間隔が短くなるように前記第１の情報及び前記第２の情報を出力する
センシング方法。
【請求項９】
コンピュータに、
第１の情報と、測定される時間間隔が前記第１の情報よりも長い第２の情報とを繰り返し測定するステップと、
前記測定された前記第１の情報及び前記第２の情報を出力するステップであって、前記第１の情報及び前記第２の情報が各々の基準を満たしている場合に、前記第２の情報が出力される時間間隔が長くなるステップと
を実行させるためのプログラムを格納したコンピュータ読み取り可能なプログラム。
【請求項１０】
コンピュータに、
第１の情報と、測定される時間間隔が前記第１の情報よりも長い第２の情報とを繰り返し測定するステップと、
前記測定された前記第１の情報及び前記第２の情報を出力するステップであって、前記第１の情報及び前記第２の情報の少なくともいずれかが各々の基準を満たさなかった後に、前記第２の情報が出力される時間間隔が短くなるステップと
を実行させるためのプログラムを格納したコンピュータ読み取り可能なプログラム。
【手続補正３】
【補正対象書類名】明細書
【補正対象項目名】００５０
【補正方法】変更
【補正の内容】
【００５０】
ステップＳ１９において、制御部１１３は、測定部１１１によるモニタリング情報の測定を終了するか判断する。例えば、制御部１１３は、モニタリング情報が測定された期間が所定の閾値以上になった場合に、モニタリング情報の測定を終了する。また、制御部１１３は、所定の時刻になった場合にモニタリング情報の測定を終了してもよい。あるいは、制御部１１３は、情報処理装置１２０からの指示や被験者の操作に応じてモニタリング情報の測定を終了してもよい。
【手続補正４】
【補正対象書類名】明細書
【補正対象項目名】００７８
【補正方法】変更
【補正の内容】
【００７８】
第２の態様において、出力部２２０は、第１の情報及び第２の情報の少なくともいずれかが各々の基準を満たさなかった後に、第２の情報が出力される時間間隔が短くなる。すなわち、第２の情報が出力される時間間隔は、第１の情報及び第２の情報が各々の基準を満たさなくなった後に、それ以前と比較して短くなる。例えば、出力部２２０は、第１の情報及び第２の情報が所定の期間に渡って各々の基準を満たした後、その少なくともいずれかが基準を満たさなくなった場合に、第２の情報が出力される時間間隔を短くする。
【手続補正５】
【補正対象書類名】明細書
【補正対象項目名】００８８
【補正方法】変更
【補正の内容】
【００８８】
以上のとおり、本実施形態のセンサ装置２００は、複数の情報の測定結果に応じた制御を実行する構成を有する。この構成は、例えば、第１の情報と第２の情報の双方に異常がない場合には第２の情報が出力される時間間隔を広げ、第１の情報と第２の情報の少なくともいずれかに異常がある場合には第２の情報が出力される時間間隔を狭めることを可能にする。したがって、センサ装置２００は、第１実施形態の情報処理システム１００と同様に、センサを用いた判断に資する情報を適切に確保しつつ、全体としての情報量を抑制することが可能である。
【手続補正６】
【補正対象書類名】明細書
【補正対象項目名】００９３
【補正方法】変更
【補正の内容】
【００９３】
（４）本開示に係る装置（センサ装置１１０、情報処理装置１２０及びセンサ装置２００）の具体的なハードウェア構成は、さまざまなバリエーションが含まれ、特定の構成に限定されない。例えば、本開示に係る装置は、ソフトウェアを用いて実現されてもよく、複数のハードウェアを用いて各種処理を分担するように構成されてもよい。
【手続補正７】
【補正対象書類名】明細書
【補正対象項目名】００９７
【補正方法】変更
【補正の内容】
【００９７】
本開示に係る装置は、図１１に示す構成（又はその一部）によって実現され得る。例えば、センサ装置２００の場合、測定部２１０及び出力部２２０は、ＣＰＵ３０１、ＲＯＭ３０２及びＲＡＭ３０３に対応する。
【国際調査報告】
2019064358.tif 000014
2019064358.tif 000015